(57)【要約】【課題】着座者の体形に合わせて腰凭れ部を腰にぴったりと当てることができ、これによって長時間座っても疲れにくい座椅子を提供する。【解決手段】人の臀部を載せることが可能な座部３と、この座部３の後部上方に配されて人の腰を凭れさせることが可能な腰凭れ部４ａおよびその腰凭れ部４ａの左右両側から座部３の前後方向中間位置にまで延びる延出部４ｂを有するＵ字状枠体４とを備え、Ｕ字状枠体４の延出部４ｂを座部３の前後方向中間位置に枢着して、Ｕ字状枠体４を揺動させることにより、座部３の後部上方で腰凭れ部４ａの高さ位置と前後方向位置とを調節可能とする。【選択図】図１
0003188766.tif 000002
【実用新案登録請求の範囲】
【請求項１】
人の臀部を載せることが可能な座部と、この座部の後部上方に配されて人の腰を凭れさせることが可能な腰凭れ部およびその腰凭れ部の左右両側から前方に延びる延出部を有するＵ字状枠体とを備え、
前記Ｕ字状枠体の延出部を前記座部の前後方向中間位置またはその前後方向中間位置よりも前側位置に枢着して、前記Ｕ字状枠体を揺動させることにより、前記座部の後部上方で前記腰凭れ部の高さ位置と前後方向位置とを調節可能としたことを特徴とする座椅子。
【請求項２】
前記Ｕ字状枠体には、前記延出部から更に前方に膨出されて人の手で掴むことができる把手部が設けられる請求項１に記載の座椅子。
【考案の詳細な説明】
【技術分野】
【０００１】
本考案は、座敷等で用いられて好適な座椅子に関するものである。
【背景技術】
【０００２】
従来の座椅子として、人の臀部を載せることが可能な座部と、この座部の後端部に傾斜角度調整可能に枢着された背凭れ部とを備えてなるものがある（例えば、特許文献１参照）。
【先行技術文献】
【特許文献】
【０００３】
【特許文献１】実用新案登録第２５６０２７８号公報
【０００４】
しかしながら、特許文献１に係る座椅子では、着座した際に、腰が背凭れ部から僅かに離れるため、すぐに疲れてしまうという問題点がある。また、仮に、腰を凭れさせるための腰凭れ部を設けたとしても、着座者の体形に合わせて腰凭れ部を腰にぴったりと当てるのが難しいという問題点がある。
【考案の概要】
【考案が解決しようとする課題】
【０００５】
本考案は、前述のような問題点に鑑みてなされたもので、着座者の体形に合わせて腰凭れ部を腰にぴったりと当てることができ、これによって長時間座っても疲れにくい座椅子を提供することを目的とするものである。
【課題を解決するための手段】
【０００６】
前記目的を達成するために、本考案による座椅子は、
人の臀部を載せることが可能な座部と、この座部の後部上方に配されて人の腰を凭れさせることが可能な腰凭れ部およびその腰凭れ部の左右両側から前方に延びる延出部を有するＵ字状枠体とを備え、
前記Ｕ字状枠体の延出部を前記座部の前後方向中間位置またはその前後方向中間位置よりも前側位置に枢着して、前記Ｕ字状枠体を揺動させることにより、前記座部の後部上方で前記腰凭れ部の高さ位置と前後方向位置とを調節可能としたことを特徴とするものである（第１考案）。
なお、本考案において、「座椅子」とは、一般的に定義される座椅子、すなわち脚がなく背凭れや腰凭れに寄りかかるように座る椅子と、この一般的に定義される座椅子に脚や台を備え付けた椅子の両方の概念を含むものである。
【０００７】
本考案において、前記Ｕ字状枠体には、前記延出部から更に前方に膨出されて人の手で掴むことができる把手部が設けられるのが好ましい（第２考案）。
【考案の効果】
【０００８】
本考案の座椅子によれば、Ｕ字状枠体の延出部が座部の前後方向中間位置またはその前後方向中間位置よりも前側位置に枢着され、このＵ字状枠体を揺動させることによって、座部の後部上方で腰凭れ部の高さ位置と前後方向位置とが調節されるので、着座者の腰の位置に合わせて腰凭れ部の高さ位置と前後方向位置とを調節することができる。したがって、着座者の体形に合わせて腰凭れ部を腰にぴったりと当てることができ、これによって長時間座っても疲れにくいという効果がある。
【０００９】
また、Ｕ字状枠体に、延出部から更に前方に膨出されて人の手で掴むことができる把手部を設けることにより、着座者が座った状態から起立する際に、把手部を掴んで腕の力をも利用して立ち上がることができるので、起立時に腰や膝の負担を軽減することができる。
【図面の簡単な説明】
【００１０】
【図１】本考案の一実施形態に係る座椅子の全体斜視図である。
【図２】同座椅子の側面図である。
【図３】（ａ）は同座椅子の平面図、（ｂ）は同座椅子の底面図である。
【図４】（ａ）は同座椅子の使用例説明図、（ｂ）は着座者の立ち上がり動作説明図である。
【図５】変形例に係る座椅子の側面図である。
【考案を実施するための形態】
【００１１】
次に、本考案による座椅子の具体的な実施の形態について、図面を参照しつつ説明する。
【００１２】
＜座椅子の概略説明＞
図１に示される座椅子１は、一対の脚部材２上に設置される座部３を備え、この座部３の上方に、平面視略Ｕの字形状のＵ字状枠体４を配設して構成されている。
【００１３】
図３（ａ）に示されるように、座部３は、人の臀部を載せることが可能な大きさで、前半部が略矩形状、後半部が略半円形状に形成されている。この座部３の前後方向中間位置における左右両辺部には、支柱部材５が立設されている。
【００１４】
＜Ｕ字状枠体の説明＞
Ｕ字状枠体４は、座部３の後部上方に配されて人の腰を凭れさせることが可能な腰凭れ部４ａを有している。腰凭れ部４ａの左右両側には、座部３の前後方向中間位置にまで延びる延出部４ｂが一体的に設けられている。延出部４ｂには、更に前方に膨出されて人の手で掴むことができる把手部４ｃが一体的に設けられている。
Ｕ字状枠体４においては、左右の延出部４ｂの間隔寸法が、人の胴体の横幅寸法以上となるように設定されており、着座する際にＵ字状枠体４の左右の延出部４ｂの間に着座者の胴体が入り込むようにされている。なお、Ｕ字状枠体４の延出部４ｂは、肘置きを兼ねており、延出部４ｂに肘を置いて着座することができて着座時の疲労の軽減を図るようにしている。
【００１５】
＜傾斜角度調整機構の説明＞
図２に示されるように、Ｕ字状枠体４の延出部４ｂは、座部３の支柱部材５に、傾斜角度調整機構６を介して回動可能に取り付けられている。
傾斜角度調整機構６は、Ｕ字状枠体４の傾斜角度を調整自在とするものであって、Ｕ字状枠体４が、図２において二点鎖線で表されるような水平状態となる水平位置と、この水平位置に対し所定角度（例えば２５°〜３０°程度）をなして同図において実線で表されるような上向きに傾いた状態となる傾斜位置との間の揺動範囲θ内で調整可能に構成されている。
傾斜角度調整機構６としては、具体的に、それ自体公知のラチェット機構からなり、Ｕ字状枠体４を水平位置から前方上方へ起こしていくことにより段階的（例えば６段階）かつ自動的に所定傾斜角度にロックし、かつＵ字状枠体４を上記の傾斜位置を越えて前方へ揺動させることによりロックが解除されて水平位置に戻すことができるように構成されている。したがって、Ｕ字状枠体４を、図２において実線で示される傾斜位置の状態以外にも、揺動範囲θ内の様々な傾斜状態とするも可能であり、着座者の腰の位置に合わせて最適の傾斜状態にすることができる。
【００１６】
なお、図示による詳細説明は省略するが、座部３およびＵ字状枠体４はいずれも、剛性フレーム部材にクッション材を装着し、該クッション材をカバー部材で被覆して構成されている。
【００１７】
また、脚部材２としては、例えば金属パイプ材や曲げ木材等を横向きＵの字状に屈曲形成してなるものや、三角形状、柱状のものなど、任意の形状のものを適用することができる。本実施形態においては、脚部材２として、金属パイプ材を横向きＵの字状に屈曲形成してなるものが用いられている。
図３（ｂ）に示されるように、一対の脚部材２においては、その後側の取付間隔Ｗ１に対し、前側の取付間隔Ｗ２の方が広くされて、底面視で逆ハの字状に配置されている。これにより、座椅子１を正座椅子として使用する際に、折り曲げた脚の膝下部分を座部３の前側から座部３と床との間に容易に入れることができる。
【００１８】
＜使用例の説明＞
以上に述べたように構成される座椅子１においては、図４（ａ）に示されるように、座部３の上に使用者Ｍの臀部を載せ、脚は例えば胡坐を軽く組んだようにして足を座部３の前方の床上に置き、腰をＵ字状枠体４の腰凭れ部４ａに凭れさせ、肘は肘置きを兼ねる延出部４ｂの上に置いて座るようにして使用する。なお、脚を折り曲げて膝下部分を座部３と床との間に入れるようにして正座をするような使用の態様もある。
【００１９】
＜作用効果の説明＞
本実施形態の座椅子１によれば、図２に示されるように、Ｕ字状枠体４を図において二点鎖線で表した水平位置と、図において実線で表した傾斜位置との間で揺動させることによって、座部３の後部上方で腰凭れ部４ａの高さ位置と前後方向位置とが調節されるので、着座者の腰の位置に合わせて腰凭れ部４ａの高さ位置と前後方向位置とを調節することができる。したがって、図４（ａ）に示されるように、着座者（使用者Ｍ）の体形に合わせて腰凭れ部４ａを腰にぴったりと当てることができ、これによって長時間座っても疲れにくいという効果がある。
また、Ｕ字状枠体４には、延出部４ｂから更に前方に膨出されて人の手で掴むことができる把手部４ｃが設けられているので、着座者が座った状態から図４（ｂ）に示されるように起立する際に、把手部４ｃを掴んで腕の力をも利用して立ち上がることができ、起立時に腰や膝の負担を軽減することができる。
【００２０】
以上、本考案の座椅子について、一実施形態に基づいて説明したが、本考案は上記実施形態に記載した構成に限定されるものではなく、その趣旨を逸脱しない範囲において適宜その構成を変更することができるものである。
【００２１】
例えば、上記の実施形態においては、図２に示されるように、Ｕ字状枠体４の延出部４ｂを座部３の前後方向中間位置に枢着した例を示したが、これに限定されるものではなく、図５に示されるように、Ｕ字状枠体４の延出部４ｂを座部３の前後方向中間位置よりも前側位置に枢着する態様例もあり得る。すなわち、座部３の前後方向中間位置よりも前側位置、より具体的には座部３の前端と前後方向中間位置との間の所定位置における左右両辺部に支柱部材５を立設するとともに、Ｕ字状枠体４の延出部４ｂをその支柱部材５に達するまで延長し、該支柱部材５に傾斜角度調整機構６を介してＵ字状枠体４の延出部４ｂを回動可能に取り付けるようにしてもよい。
【産業上の利用可能性】
【００２２】
本考案の座椅子は、着座者の体形に合わせて腰凭れ部を腰にぴったりと当てることができ、これによって長時間座っても疲れにくいという特性を有していることから、座敷等において長時間座る際の姿勢の保持の用途に好適に用いることができる。
【符号の説明】
【００２３】
１    座椅子
２    脚部材
３    座部
４    Ｕ字状枠体
４ａ  腰凭れ部
４ｂ  延出部
４ｃ  把手部
６    傾斜角度調整機構
【図１】
0003188766.tif 000003
【図２】
0003188766.tif 000004
【図３】
0003188766.tif 000005
【図４】
0003188766.tif 000006
【図５】
0003188766.tif 000007